(57)【特許請求の範囲】
【請求項１】
後方から洋式便器を収納する空間と車輪を有する座台において、
該座台の前上方の左右に上掛止部材と前下方左右に下掛止部材を設け、
該座台の前上方の左右に棒の基部を回転自在に接続し該棒先端近傍に切欠を設け、
該座台の後方左右外側に回転自在に背もたれを設け、
該背もたれ上方に回転自在に起立枠を設け、
該起立枠に水平棒を回転自在に設け、
該水平棒に紐形状部材の一方端を固定捲回し他方端を前記座台に接続固定し、
該起立枠接続部近傍下側の前記背もたれに起立枠掛止突片を設け、
該起立枠掛止突片下方の前記背もたれに脚を回転自在に設け、
前記脚の下方の前記背もたれ左右に突片を設け、
それぞれの該突片は前記切欠と掛止離反自在となっており、
前記座台の前方外側に周回した足台を前記背もたれ下方に回転自在に接続し、
該足台は前記座台の前上方左右と前下方左右の前記掛止部材に掛止離反自在となっており、
前記背もたれが鉛直状態で前記突片に前記切欠を掛止し前記足台を前記下掛止部材に掛止してイス状態にし、
前記突片と前記切欠の掛止を離反し前記背もたれを後倒して水平にし前記脚を垂下し前記足台を前記上掛止部材に掛止してベッド状態にし、
前記足台と前記上掛止部材の掛止を離反し、
前記起立枠を起立して前記起立枠掛止突片に掛止し、
前記水平棒を回転し前記紐形状部材を巻き取り前記背もたれを起立して鉛直にし前記突片に前記切欠を掛止し前記足台を前記下掛止部材に掛止しててイス状態にする、ことを特徴とする、簡易リクライニング車椅子。
【請求項２】
前記背もたれを動力で起立後倒する、ことを特徴とする、
請求項１に記載の簡易リクライニング車椅子。
【請求項３】
前記背もたれ及び前記足台に板形状部材又は布形状部材のいづれかを貼り、
前記座台には板形状部材又は透孔を有する板形状部材のいづれかを貼る、ことを特徴とする、請求項１〜２に記載の簡易リクライニング車椅子。
【請求項４】
前記背もたれ下方左右、又は、前記座台上方左右、のいずれかに柵受けを設け、
該柵受けにコ形状柵の開放端を嵌設抜出自在に設ける、
ことを特徴とする、請求項１〜３に記載の簡易リクライニング車椅子。
【発明の詳細な説明】
【技術分野】
【０００１】
本発明は、抱きかかえずに、患者をベッドから車椅子に乗せたり、車椅子からベッドに移動させたりするために、車椅子状態とベッド状態に変更できる、車椅子に関するものである。
【背景技術】
【０００２】
従来、抱きかかえてベッドと車椅子に移動させていた。
また、座台を昇降させる車椅子が知られている（特許文献１参照）
【特許文献１】特許第４７０６００９号公報
【発明の開示】
【発明が解決しようとする課題】
【０００３】
そのために次のような問題点があった。
（イ）移動時に介助者が患者を抱きかかえるため、
患者と介助者の顔が接近し、相互に不快感があった。
（ロ）入浴目的のため座台を昇降させる装置で複雑で大型となり、
移動だけの目的には、不向きである。
【課題を解決するための手段】
【０００４】
そこで、請求項１の発明によれば、
後方から洋式便器を収納する空間と車輪を有する座台において、
該座台の前上方の左右に上掛止部材と前下方左右に下掛止部材を設け、
該座台の前上方の左右に棒の基部を回転自在に接続し該棒先端近傍に切欠を設け、
該座台の後方左右外側に回転自在に背もたれを設け、
該背もたれ上方に回転自在に起立枠を設け、
該起立枠に水平棒を回転自在に設け、
該水平棒に紐形状部材の一方端を固定捲回し他方端を前記座台に接続固定し、
該起立枠接続部近傍下側の前記背もたれに起立枠掛止突片を設け、
該起立枠掛止突片下方の前記背もたれに脚を回転自在に設け、
前記脚の下方の前記背もたれ左右に突片を設け、
それぞれの該突片は前記切欠と掛止離反自在となっており、
前記座台の前方外側に周回した足台を前記背もたれ下方に回転自在に接続し、
該足台は前記座台の前上方左右と前下方左右の前記掛止部材に掛止離反自在となっており、
前記背もたれが鉛直状態で前記突片に前記切欠を掛止し前記足台を前記下掛止部材に掛止してイス状態にし、
前記突片と前記切欠の掛止を離反し前記背もたれを後倒して水平にし前記脚を垂下し前記足台を前記上掛止部材に掛止してベッド状態にし、
前記足台と前記上掛止部材の掛止を離反し、
前記起立枠を起立して前記起立枠掛止突片に掛止し、
前記水平棒を回転し前記紐形状部材を巻き取り前記背もたれを起立して鉛直にし前記突片に前記切欠を掛止し前記足台を前記下掛止部材に掛止しててイス状態にする、ことを特徴とする、簡易リクライニング車椅子。
請求項２の発明によれば、
前記背もたれを動力で起立後倒する、ことを特徴とする、
請求項１に記載の簡易リクライニング車椅子。
請求項３の発明によれば、
前記背もたれ及び前記足台に板形状部材又は布形状部材のいづれかを貼り、
前記座台には板形状部材又は透孔を有する板形状部材のいづれかを貼る、ことを特徴とする、請求項１〜２に記載の簡易リクライニング車椅子。
請求項４の発明によれば、
前記背もたれ下方左右、又は、前記座台上方左右、のいずれかに柵受けを設け、
該柵受けにコ形状柵の開放端を嵌設抜出自在に設ける、
ことを特徴とする、請求項１〜３に記載の簡易リクライニング車椅子。
【発明の効果】
【０００５】
本発明に搭乗者が乗降する際、介助者が患者を抱きかかえる必要が無くなり、腰痛発生が無くなる。
【発明を実施するための最良の形態】
【０００６】
図１（Ａ）〜（Ｂ）は、介助者が、抱きかかえず、本発明の車椅子に搭乗したり降りたりすることを可能にし、
また、ベッド状態から背もたれ７を起立してイス状態にする際、介助者の労力を軽減する方法の構成を示し、
本発明の利用方法は、介助者は本発明をベッド状態にして、利用者が臥床しているベッドの横に密接位置し、介助者により利用者が寝返り又は摺動担架により、本発明に搭乗する。（図８（Ｃ）参照）
（Ａ）は、後方視のイス状態、（Ｂ）は、横視のベッド状態で、ベッド状態と車椅子状態に切り替えるため、背もたれ７と足台１１を設けている。
（Ａ）のイス状態では、後方から洋式便器を収納する空間と、車輪１０を有する座台９である。
ベッド状態で上半身を支持しイス状態で背もたれ７との共用に、座台９上方後部外側に背もたれ７を回転自在に接続している。
ベッド状態で足台１１を掛止離反自在に掛止するため掛止部材１３を、イス状態で足台突片１２を設けている。
ベッド状態からイス状態にする際は、足台１１を少し持ち上げて掛止部材１３から足台１１を開放し、背もたれ７を起立すると、足台１１が下降し、足台突片１２の上に掛止する。
イス状態で、背もたれ７を鉛直に固定するために、座台９の上方前方に斜棒８の基部を回転自在に接続し先端に切欠５を設け、背もたれ７上方に斜棒突片４を設け、切欠５と斜棒突片４は掛止離反自在になっている。
切欠５を斜棒突片４に掛止して斜棒８で背もたれ７を鉛直に固定し、切欠５の掛止を離反解除して、背もたれ７を後倒可能にしている。
ベッド状態からイス状態にする際、背もたれ７を起立する労力を軽減するため、背もたれ７の上方に、水平棒２を有する起立枠１を回転自在に設け（図２（Ａ）参照）、起立突片３を設け、
水平棒２に起立紐１５の一方端を固定して捲回し捲回部１７を設け、起立紐１５の他方端を座台９に固定している。（使用方法は図６参照）
ベッド状態で背もたれ７を支持するため、起立突片３の下方に背もたれ脚６を回転自在に設け、イス状態では背もたれ７背面に垂下してじゃまにならないように回転自在に接続している。
ベッド状態で搭乗者Ｃの下半身を支持するため、座台９の前方外側に周回したコ形状足台１１の両端を、背もたれ７の下方左右に回転自在に接続し、ベッド状態での足台１１の保持固定に掛止部材１３を設け、イス状態で足台１１の保持固定に足台突片１２を設け、イス状態では搭乗者Ｃの足を乗せる。
（Ｂ）は、ベッド状態の横視図で、背もたれ７を後倒し、背もたれ脚６で背もたれ７を支持固定し、足台１１を掛止部材１３で支持固定している。
【０００７】
図２（Ａ）は、背もたれ７と足台１１の前方斜視図で、背もたれ７に、起立枠軸１６で回転自在に接続した起立枠１、起立突片３、背もたれ脚６、斜棒突片４、背もたれ孔１８を設け、イス状態で、起立突片３、背もたれ脚６が搭乗者Ｃの障害にならないように、背面に位置するように配置している。
起立枠１に水平棒２を設け水平棒２には回転把１４を接続し水平棒２を回転させ、水平棒２に起立紐１５を捲回している。
足台１１を背もたれ７両下端に回転自在に接続している。
（Ｂ）は、座台９の前方斜視図で座台ピン１９に背もたれ孔１８を回転自在に貫設し、斜棒８の基部を回転自在に設け、起立紐１５を接続固定し、掛止部材１３と足台突片１２と車輪１０を設けている。
【０００８】
図３は、（Ａ）〜（Ｄ）は足台１１固定方法の１で、ベッド状態において、足台１１を簡易に固定又は解除し足台１１の落下破損を防止する構成で、
（Ａ）は、ベッド状態で足台１１を保持固定方法その1、を詳細に説明するために掛止部材１３を左掛止部材２１と右掛止部材２０とし、左掛止部材２１と右掛止部材２０を座台９前上方に設け、
（Ｂ）は、右掛止部材２０の説明で（左掛止部材２１も同様に操作する）、右掛止部材２０に足台１１を掛止した状態の拡大斜視図である。
右掛止部材２０（左掛止部材２１にも同様に設ける）に孔ａ２３と切欠ａ２２を設け、ピンｄ２５を孔ａ２３に貫通して右掛止部材２０を回転自在に保持し、ピンｃ２４に切欠ａ２２を掛止している。
（Ｃ）は、足台１１と右掛止部材２０との掛止を解く途中の斜視図で、足台１１と右掛止部材２０を持ち上げ、ピンｃ２４と切欠ａ２２の掛止を解き右掛止部材２０が回転自在可動に準備し、
（Ｄ）は、ピンｄ２５を軸として右掛止部材２０を右内側に回転して、足台１１の掛止を解く。
【０００９】
図４（Ａ）〜（Ｃ）は足台１１固定方法その２で、足台１１が搭乗者Ｃの下肢重量により落下破損を防止するための構成で、
（Ａ）は、ベッド状態で足台１１を保持固定方法２、を詳細に説明するために、座台９の前上方左右に、水平部２８と鉛直部４１を有する左Ｌ掛止部材２６と右Ｌ掛止部材２７を設け、
（Ｂ）は、鉛直部４１に長孔２９を設けた右Ｌ掛止部材２７を、長孔２９に貫設したピンｄ２５とピンｃ２４で摺動自在に座台９に接続し、右Ｌ掛止部材２７を外側Ａに摺動突出し、水平部２８で足台１１を掛止した斜視図で、
（Ｃ）は右Ｌ掛止部材２７を内側へ摺動して足台１１の掛止を解く、以上は左Ｌ掛止部材２６についても同様に行う。
【００１０】
図５（Ａ）〜（Ｃ）はイス状態からベッド状態にする際、背もたれ７を後倒して搭乗者Ｃの上半身が水平になると同時に、足台１１が上昇し下肢が一時的に水平になる構成とするもので、
（Ａ）は、足台１１と背もたれ７をピン３０で接続した状態を示し、
（Ｂ）は、足台１１と背もたれ７をピン３０で接続したイス状態の拡大図で、
足台１１が水平状態で背もたれ７が鉛直の状態である。
２枚の背もたれ固定板３２を背もたれ７の下方を挟んで固着して設け、
それぞれの固定板３２の中に足台１１を位置しピン３０とピン孔３１で足台１１の端部近傍を回転自在に固定板３２に接続し、（このとき足台１１の前方は足台突片１２に掛止している（図１（Ａ）参照）。
（Ｃ）はベッド状態において、足台１１と背もたれ７の接続状態を示し、
背もたれ７が水平状態で、ピン３０と背もたれａ３３で足台ａ３４を掛止保持し、足台１１と搭乗者Ｃの重量で足台１１が下降するのを一時的に阻止し、
その後、左掛止部材２１と右掛止部材２０に足台１１を掛止する。
又は、左Ｌ掛止部材２６と右Ｌ掛止部材２７のいずれかに足台１１を掛止する。（図３（Ａ）及び（Ｂ）、図４（Ａ）及び（Ｂ）参照、）
【００１１】
図６（Ａ）〜（Ｄ）は、介助者が従来のように抱きかかえて車椅子乗り降りさせることをなくするため、本発明のベッド状態からイス状態にする手順を示し、
（Ａ）は、本発明のベッド状態で、背もたれ脚６で背もたれ７を固定し、
足台１１を掛止部材１３に掛止して固定している。
搭乗者Ｃが臥床するベッドＢ横にこの状態で密着位置し、ベッドＢに臥床する搭乗者Ｃが、寝返りや摺動担架により本発明に乗り移り、  また、本発明のベッド状態からベッドＢへ乗り移る際も寝返りや摺動担架により乗り移る方法で行う。（図８（Ｃ）参照）
（Ｂ）は、ベッド状態からイス状態にする第一段階で、
まず、介助者が、足台１１を少し持ち上げて、足台１１と掛止部材１３の掛止を解くと、図５（Ｃ）の状態で、略水平を保持する。
次に、背もたれ７を起立する労力軽減のため、
起立枠１を起立して起立突片３に掛止し起立枠１が前方へ倒れるのを防止すると、
起立紐１５と背もたれ７の角度が大きくなり、背もたれ７の起立が容易になり、少ない回転把１４の回転力で背もたれ７を起立させることが出来る。
回転把１４を回転し起立紐１５を巻き取って行くと、
（Ｃ）に示すように、背もたれ７が徐々に起立し、同時に背もたれ脚６は垂下してじゃまにならなくなり、足台１１は垂下して足台突片１２に自然に掛止し背もたれ７は徐々に鉛直になり、足台１１は水平に位置する。
（Ｄ）は、鉛直になった背もたれ７の、斜棒突片４に切欠５を掛止して、斜棒８で背もたれ７を固定し、
起立紐１５を弛めて、起立枠１を後方へ転回位置すると搭乗者Ｃのじゃまにならなくして、イス状態にする。
また、イス状態からベッド状態にするには、介助者が、切欠５と斜棒突片４の掛止を解き斜棒８を外して、背もたれ７上方を持ち、背もたれ７を徐々に後倒すると、背もたれ脚６が垂下して背もたれ７を固定し、足台１１を掛止部材１３に掛止して足台１１を固定する。（（Ａ）参照）
【００１２】
図７（Ａ）〜（Ｂ）は、介助者が背もたれ７を起立後倒する労力を軽減するために、動力を用いて背もたれ７を起立したり後倒したりする方法を示し、
（Ａ）は方法その1で、背もたれ軸３６に背もたれ７を固定し、座台９に背もたれ軸３６を回転自在に接続し、背もたれ軸３６に動力源３５を接続し、動力源３５により背もたれ軸３６を回転させて、背もたれ７を起立し、また後倒する。
（Ｂ）は方法その２で、背もたれ７下方にナット３７を回転自在に接続し、ボルト３８を有する動力源３５を座台９下方後方に回転自在に接続し、ボルト３８を動力源３５で、左方向又は右方向いずれかに回転して、背もたれ７を起立し又は後倒する。
【００１３】
図８は、搭乗者Ｃが本発明に搭乗する際、又は、搭乗した際に、本発明から転落するのを防止するための構成を示す方法の１で、
（Ａ）は、背もたれ７下方の左右に柵受け３９を設け、
（Ｂ）は背もたれ７が水平のベッド状態で、柵４０の位置関係の状態を示し、
（Ｃ）は、ベッドＢに臥床する搭乗者Ｃを本発明のベッド状態に移動させる状態を示し、
本発明の左側を搭乗者Ｃが臥床するベッドＢに密着位置し、
本発明をベッド状態にして右側の柵受け３９に柵４０を装着し、
寝返り又は摺動担架を用いて移動する際右側への転落を防止する。
左側には柵４０を装着しない。
本発明のベッド状態で、ベッドＢの右側又は左側のいづれにでも密接位置する対応を可能にするため、背もたれ７の左右に柵受け３９を一対づつ設けている。
この方法の特徴は、背もたれ７に柵受け３９を設けることで、イス状態において、柵受け３９が搭乗者Ｃのじゃまにならない。
【００１４】
図９は、搭乗者Ｃが本発明に搭乗する際、又は、搭乗した際に、本発明から転落するのを防止するための構成を示す方法の２で、
（Ａ）は、座台９上方に柵受け３９を設け、
（Ｂ）は、座台９上方の内側に柵受け３９を設け、
（Ｃ）柵受け３９に柵４０を嵌設し、また、柵４０を抜出する説明図で、
この方法の特徴は、座台９に柵受け３９を設けることで、イス状態でも柵４０を嵌設できて、イス状態で搭乗する搭乗者Ｃの転落防止に利用できる。
【図面の簡単な説明】
【００１５】
【図１】（Ａ）は後方視の完成斜視図（Ｂ）はベッド状態の横視図、
【図２】（Ａ）は本発明を組み立てる途中で、背もたれと足台の前方斜視図（Ｂ）は足台の前方斜視図、
【図３】（Ａ）は左掛止部材と右掛止部材を有する座台の斜視図、（Ｂ）は右掛止部材で足台を掛止する斜視図、（Ｃ）は足台の掛止を解く途中の図で、足台と右掛止部材を持ち上げた斜視図、（Ｄ）は足台を右掛止部材から解き、右掛止部材回転した斜視図、
【図４】（Ａ）は左Ｌ掛止部材と右Ｌ掛止部材を有する座台の斜視図、（Ｂ）は右Ｌ掛止部材で足台を掛止する斜視図、（Ｃ）は右Ｌ掛止部材と足台の掛止を解いた斜視図、
【図５】（Ａ）はピンで背もたれと足台を回転自在に接続する斜視図、（Ｂ）はイス状態で背もたれに足台が掛止する斜視図、（Ｃ）はベッド状態で背もたれに足台が掛止する斜視図、
【図６】（Ａ）はベッド状態の横視図、（Ｂ）は起立枠を起立し起立突片に掛止した横視図、（Ｃ）は起立紐を巻き取り背もたれを起立する途中の横視図、（Ｄ）は斜棒で背もたれを掛止固定し起立枠を背もたれ後方に位置したイス状態、
【図７】（Ａ）は動力を背もたれ軸に接続た横視図、（Ｂ）はボルトとナットを用い動力で背もたれを起立後倒する横視図、
【図８】（Ａ）は柵を柵受けに装着する途中の斜視図、（Ｂ）は右側のみ柵を柵受けに装着した斜視図、（Ｃ）は、ベッド状態の本発明をベッドの横に密着位置し転落防止に柵を装着した斜視図、
【図９】（Ａ）は座台上方に柵受けを設けた斜視図、（Ｂ）座台上方内側に柵受けを設けた斜視図、（Ｃ）は右側の柵受けに柵を嵌設した斜視図、
【符号の説明】
【００１６】
Ａ外側、
Ｂベッド
Ｃ患者
１起立枠、
２水平棒、
３起立突片、
４斜棒突片、
５切欠、
６背もたれ脚、
７背もたれ、
８斜棒、
９座台、
１０車輪、
１１足台、
１２足台突片、
１３掛止部材、
１４回転把、
１５起立紐、
１６起立枠軸、
１７捲回部、
１８背もたれ孔、
１９座台ピン、
２０右掛止部材、
２１左掛止部材、
２２切欠２、
２３孔１、
２４ピン２、
２５ピン１、
２６左Ｌ掛止部材、
２７右Ｌ掛止部材、
２８水平部、
２９長孔、
３０ピン、
３１ピン孔、
３２背もたれ切欠部、
３３背もたれａ、
３４足台ａ、
３５動力源、
３６背もたれ軸、
３７ナット、
３８ボルト、
３９柵受け、
４０柵、
【要約】
【課題】本発明は、介助者が、抱きかかえず、本発明の車椅子に搭乗したり降りたりすることを可能にし、また、ベッド状態から背もたれ７を起立してイス状態にする際、介助者の労力を軽減する簡易リクライニング車椅子を提供する。
【手段】座台に設けた斜棒で背もたれを掛止し、背もたれ上方に脚を設け、背もたれ下方に足台を設け、背もたれ上方に起立枠を設け、起立枠の水平棒に紐形状部材捲回し他方端を前記座台に接続固定し、前記背もたれを鉛直にして斜棒で掛止してイス状態にし、背もたれを水平にし前記脚を垂下し前記足台を前記掛止部材に掛止してベッド状態にする。
【選択図】  図１【図１】
0005475915.tif 000002
【図２】
0005475915.tif 000003
【図３】
0005475915.tif 000004
【図４】
0005475915.tif 000005
【図５】
0005475915.tif 000006
【図６】
0005475915.tif 000007
【図７】
0005475915.tif 000008
【図８】
0005475915.tif 000009
【図９】
0005475915.tif 000010